(57)【要約】  ＣＣＨ（Control  Channel）のリソース使用効率を改善することができる通信システム。この通信システムは、基地局（１０）と、ＣＦＩ（Control  Format  Indicator）を含むＰＣＦＩＣＨ（Physical  Control  Format  Indicator  Channel）信号の到達カバレッジ内にある端末Ｂと、その到達カバレッジ外にある端末Ａとを有する。基地局（１０）は、ＣＦＩを１ｍｓ周期で更新し、ＰＨＩＣＨ（Physical  Hybrid  ARQ  Indicator  Channel）デュレーションを、４０ｍｓ周期で更新し、端末Ｂ宛てのデータのスケジューリングを１サブフレーム毎に行う一方で、端末Ａ宛てのデータのスケジューリングを、ＰＨＩＣＨデュレーション値とＣＦＩ値とが一致するサブフレームのみで行う。端末Ａは、基地局（１０）から送信されるＰＨＩＣＨデュレーション値に従って判定したＣＣＨリージョンサイズに基づいて、自端末宛てのデータを取得する。
2014162565.tif 000002
【特許請求の範囲】
【請求項１】
基地局装置から送信されるＰＨＩＣＨデュレーション値に従って、制御チャネルのリージョンサイズを判定する判定部と、
前記リージョンサイズに基づいて、自端末宛てのデータを取得する取得部と、
を具備する通信端末装置。
【請求項２】
ＣＦＩ値を第１の周期で更新する第１制御部と、
ＰＨＩＣＨデュレーション値を、前記第１の周期より大きい第２の周期で更新する第２制御部と、
前記ＣＦＩ値を含む信号の到達カバレッジ外にある通信端末装置宛てのデータのスケジューリングを、前記ＰＨＩＣＨデュレーション値と前記ＣＦＩ値とが一致するサブフレームのみで行うスケジューリング部と、
を具備する基地局装置。
【請求項３】
基地局装置と、ＣＦＩ値を含む信号の到達カバレッジ外にある通信端末装置と、を有する通信システムであって、
前記基地局装置は、
前記ＣＦＩ値を第１の周期で更新し、
ＰＨＩＣＨデュレーション値を、前記第１の周期より大きい第２の周期で更新し、
前記通信端末装置宛てのデータのスケジューリングを、前記ＰＨＩＣＨデュレーション値と前記ＣＦＩ値とが一致するサブフレームのみで行い、
前記通信端末装置は、
前記基地局装置から送信される前記ＰＨＩＣＨデュレーション値に従って、制御チャネルのリージョンサイズを判定し、
前記リージョンサイズに基づいて、自端末宛てのデータを取得する、
通信システム。
【請求項４】
通信端末装置におけるデータ取得方法であって、
基地局装置から送信されるＰＨＩＣＨデュレーション値に従って、制御チャネルのリージョンサイズを判定し、
前記リージョンサイズに基づいて、自端末宛てのデータを取得する、
データ取得方法。
【請求項５】
基地局装置におけるデータスケジューリング方法であって、
ＣＦＩ値を第１の周期で更新する一方で、ＰＨＩＣＨデュレーション値を、前記第１の周期より大きい第２の周期で更新し、
前記ＣＦＩ値を含む信号の到達カバレッジ外にある通信端末装置宛てのデータのスケジューリングを、前記ＰＨＩＣＨデュレーション値と前記ＣＦＩ値とが一致するサブフレームのみで行う、
データスケジューリング方法。
【発明の詳細な説明】
【技術分野】
【０００１】
本発明は、通信端末装置、基地局装置及び通信システムに関する。
【背景技術】
【０００２】
基地局装置（以下では省略して「基地局」と呼ぶことがある）と通信端末装置（以下では省略して「端末」と呼ぶことがある）とを有する通信システムにおいて、最近、新たな端末としてＭＴＣ（Machine  Type  Communication）端末が注目されている。ＭＴＣ端末の一例として、例えば、無線通信機能を備えた電力メーターであるスマートメーター、無線通信機能を備えた自動販売機等が挙げられる。無線通信機能を備えるスマートメーターは、計測した電力使用量のデータ等を基地局に送信する。また、無線通信機能を備えた自動販売機は、売り上げ情報、販売機内の在庫情報等を基地局に送信する。【０００３】
ここで、ＭＴＣ端末は、ユーザに伴って移動する携帯電話等のモバイル端末と違い、移動する可能性が低いため、通信環境の変化に適応的に対応することができる通信機能を備えることは望まれていない。また、ＭＴＣ端末はモバイル端末に比べ、通信対象として望まれるデータの種類、及び、通信データ量が少ない。そこで、ＭＴＣ端末に対しては、モバイル端末に比べ、端末の導入コスト及び通信コストが低いことが望まれている。【０００４】
このように、ローコストであることが望まれているＭＴＣ端末に対して、ＣＣＨ（Control  Channel：制御チャネル）のリージョンサイズを示すＣＦＩ（Control  Format  Indicator）を一定値で固定することにより、基地局からＭＴＣ端末へのＣＦＩの通知を不要とする先行技術がある。ＣＦＩを固定値とすることにより、ＭＴＣ端末は、ＣＦＩを受信する機能を備えなくてもよくなり、また、基地局からのＣＦＩの送信も不要になるため、端末の導入コスト及び通信コストを低減できる。
【先行技術文献】
【非特許文献】
【０００５】
【非特許文献１】3GPP  TSG-RAN  WG1  Meeting  #72,  R1-130462,  St  Julian’s,  Malta,  28th  January  -  1st  February  2013
【発明の概要】
【発明が解決しようとする課題】
【０００６】
しかしながら、基地局は、ＭＴＣ端末との通信だけでなく、モバイル端末との通信も行う。よって、モバイル端末の移動に応じて、１つの基地局に収容される端末の数（以下では「収容端末数」と呼ばれることがある）は時々刻々と変化する。また、ＣＣＨリージョンではスケジューリング情報等の個々の端末に対する制御データが送信されるため、収容端末数が多くなるほど、必要とされるＣＣＨリージョンサイズは大きくなる。よって、ＣＣＨリージョンサイズ、つまり、ＣＦＩ値が小さいままで固定であると、収容端末数が多くなったときに、スケジューリング情報を伝達できない端末が生じることがある。そこで、スケジューリング情報を伝達できない端末の発生を防ぐために、ＣＣＨリージョンサイズ、つまり、ＣＦＩ値を大きいまま固定にすることが考えられる。しかし、ＣＣＨリージョンサイズが大きいままで固定であると、収容端末数が少なくなったときに、ＣＣＨのリージョンに無駄が生じリソース使用効率が低下する。【０００７】
開示の技術は、上記に鑑みてなされたものであって、ＣＣＨのリソース使用効率を改善することができる端末、基地局及び通信システムを提供することを目的とする。
【課題を解決するための手段】
【０００８】
開示の態様では、基地局は、ＣＦＩ値を第１の周期で更新し、ＰＨＩＣＨデュレーション値を、第１の周期より大きい第２の周期で更新する。また、基地局は、ＣＦＩ値を含む信号の到達カバレッジ外にある端末宛てのデータのスケジューリングを、ＰＨＩＣＨデュレーション値とＣＦＩ値とが一致するサブフレームのみで行う。そして、端末は、基地局から送信されるＰＨＩＣＨデュレーション値に従って制御チャネルのリージョンサイズを判定し、そのリージョンサイズに基づいて、自端末宛てのデータを取得する。【０００９】
開示の態様によれば、ＣＣＨのリソース使用効率を改善することができる。
【図面の簡単な説明】
【００１０】
【図１】図１は、実施例１の物理チャネルのマッピングの一例を示す図である。
【図２】図２は、実施例１の基地局の主要構成を示す機能ブロック図である。
【図３】図３は、実施例１の端末の主要構成を示す機能ブロック図である。
【図４】図４は、実施例１の通信システムの処理シーケンスの一例を示す図である。
【図５】図５は、実施例１の通信システムの処理動作の説明に供する図である。
【図６】図６は、基地局のハードウェア構成例を示す図である。
【図７】図７は、端末のハードウェア構成例を示す図である。
【発明を実施するための形態】
【００１１】
以下に、本願の開示する端末、基地局及び通信システムの実施例を図面に基づいて詳細に説明する。なお、この実施例により本願の開示する端末、基地局及び通信システムが限定されるものではない。また、各実施例において同一の機能を有する構成には同一の符号を付し、重複する説明を省略する。
【００１２】
［実施例１］
＜物理チャネルのマッピング例＞
図１は、実施例１の物理チャネルのマッピングの一例を示す図である。
【００１３】
図１に示すように、１ｍｓの時間長を有する１サブフレームは、シンボル＃０〜＃ＮのＮ＋１個のＯＦＤＭ（Orthogonal  Frequency  Division  Multiplexing）シンボルで構成される。例えば、１サブフレームは、１４ＯＦＤＭシンボルで構成される。また、１ＯＦＤＭシンボルは複数のサブキャリアからなり、時間・周波数リソースの最小単位として、１ＯＦＤＭシンボルの１サブキャリアのリソースに相当するＲＥ（Resource  Element）が定義される。また、ＣＣＨのマッピング単位として、ＣＲＳ（Cell-specific  Reference  Signal）を除いて周波数方向で連続する４ＲＥにより構成されるＲＥＧ（Resource  Element  Group）が定義される。また、１０サブフレームにより、１０ｍｓの時間長を有する１フレームが構成される。
【００１４】
各サブフレームにおける先頭のｎ（＝１〜３）個のＯＦＤＭシンボルからなるＣＣＨリージョンに、ＣＣＨをマッピングすることができる。また、各サブフレームの先頭のＯＦＤＭシンボルに、周波数方向に等間隔でＣＲＳがマッピングされる。ＣＣＨリージョンサイズは、収容端末数に応じて、ｎ＝１〜３で変化する。すなわち、収容端末数が多くなるほど、ｎは１，２，３とより大きくなる。ＣＣＨは、例えば、ＰＣＦＩＣＨ（Physical  Control  Format  Indicator  Channel）、ＰＨＩＣＨ（Physical  Hybrid  ARQ  Indicator  Channel）、ＰＤＣＣＨ（Physical  Downlink  Control  Channel）である。
【００１５】
また、ＣＣＨリージョンサイズ、つまり、ｎの値を端末に通知するための制御情報としてＣＦＩが定義される。ＣＦＩ値はｎの値に対応するので、ＣＦＩ＝０,１,２はそれぞれｎ＝１,２,３に対応する。また、ＣＣＨリージョンサイズは収容端末数に応じて１サブフレーム毎に更新されるため、ＣＦＩも１サブフレーム毎に更新され、よって、ＣＦＩは１サブフレーム毎に基地局から端末に送信される。ＣＦＩの送信には、ＰＣＦＩＣＨが用いられる。ＰＣＦＩＣＨ用の４つのＲＥＧ１１，１２，１３，１４は、各サブフレームの先頭のＯＦＤＭシンボルにおいて、セルＩＤに依存するサブキャリア位置を起点とし周波数方向に略等間隔に分散してマッピングされる。
【００１６】
ＰＨＩＣＨは、基地局が端末からの上りデータに対するＡＣＫ／ＮＡＣＫ情報を端末に送信するのに用いられる物理チャネルである。ＰＨＩＣＨグループ毎に３個のＲＥＧ２１，２２，２３が用いられ、収容端末数に応じてＰＨＩＣＨグループ数が決まる。すなわち、収容端末数が多くなるほど、ＰＨＩＣＨグループ数はより多くなる。収容端末数が少ない場合は、ＰＨＩＣＨグループ数も少ないため、ＰＨＩＣＨ用のすべてのＲＥＧを１ＯＦＤＭシンボルにマッピングすることができる。しかし、収容端末数が多くなるとＰＨＩＣＨグループ数も多くなるため、ＰＨＩＣＨ用のＲＥＧは複数のＯＦＤＭシンボルに渡ってマッピングされる。ＰＨＩＣＨがマッピングされるＯＦＤＭシンボルの個数ｍは、収容端末数に応じて、ｍ＝１または３となる。すなわち、収容端末数が少ないときはｍ＝１となり、収容端末数が多いときはｍ＝３となる。このｍの大きさは「ＰＨＩＣＨデュレーション」と呼ばれ、ＰＨＩＣＨデュレーション値はＣＦＩ値以下である。ＰＨＩＣＨデュレーションは収容端末数に応じて４０ｍｓ毎、すなわち、４０サブフレーム毎に更新されるため、ＰＨＩＣＨデュレーション値は、４０サブフレーム毎に基地局から端末に送信される。ＰＨＩＣＨデュレーション値の送信には、図示しないＰＢＣＨ（Physical  Broadcast  Channel）が用いられる。
【００１７】
ＰＢＣＨは、例えば、１フレームを構成する１０サブフレームのうちの先頭のサブフレームを構成する１４ＯＦＤＭシンボルのうち、後半のいずれかのＯＦＤＭシンボルの中心周波数のサブキャリアにマッピングされる。つまり、４０ｍｓ間に、ＰＢＣＨ信号は１０ｍｓ周期で４回繰り返し送信される。また、ＰＨＩＣＨデュレーションは上記のように４０ｍｓ毎に更新される。よって、４０ｍｓ間に、同一のＰＨＩＣＨデュレーション値が１０ｍｓ周期で４回繰り返し送信される。
【００１８】
ＰＤＣＣＨは、ＰＤＳＣＨ（Physical  Downlink  Shared  Channel）を用いて送信されるユーザデータに関するスケジューリング情報を各端末に通知するのに用いられる物理チャネルである。ＰＤＣＣＨは、ＣＣＨリージョンにおいて、ＰＣＦＩＣＨ、ＰＨＩＣＨ、ＣＲＳがマッピングされていないＲＥにマッピングされる。  
【００１９】
＜基地局の構成例＞
図２は、実施例１の基地局の主要構成を示す機能ブロック図である。図２において、基地局１０は、アンテナ１０１と、デュプレクサ１０２と、ＲＦ（Radio  Frequency）受信部１０３とを有する。また、基地局１０は、ＣＰ（Cyclic  Prefix）除去部１０４と、ＦＦＴ（Fast  Fourier  Transform）部１０５と、ＰＵＣＣＨ（Physical  Uplink  Control  Channel）信号取得部１０６とを有する。また、基地局１０は、スケジューリング部１０７と、リージョンサイズ制御部１０８と、デュレーション制御部１０９とを有する。また、基地局１０は、ＣＲＳ生成部１１０と、ＰＤＳＣＨ信号生成部１１１と、ＰＤＣＣＨ信号生成部１１２と、ＰＣＦＩＣＨ信号生成部１１３と、ＰＢＣＨ信号生成部１１４とを有する。また、基地局１０は、マッピング部１１５と、ＩＦＦＴ（Inverse  Fast  Fourier  Transform）部１１６と、ＣＰ付加部１１７と、ＲＦ送信部１１８とを有する。
【００２０】
ＲＦ受信部１０３は、後述する図３に示す端末２０から送信されたＯＦＤＭ信号を、アンテナ１０１、デュプレクサ１０２を介して受信し、ＯＦＤＭ信号に対して受信無線処理、すなわち、ダウンコンバート、アナログディジタル変換等を行ってベースバンドのＯＦＤＭ信号を得てＣＰ除去部１０４に出力する。このＯＦＤＭ信号には、端末２０で生成されたＰＵＣＣＨ信号が含まれている。
【００２１】
ここで、以下では、ＰＣＦＩＣＨ信号の到達カバレッジ外にあり、基地局１０から送信されるＰＣＦＩＣＨ信号を受信できない端末を「プアカバレッジ端末」と呼ぶことがある。逆に、ＰＣＦＩＣＨ信号の到達カバレッジ内にあり、基地局１０から送信されるＰＣＦＩＣＨ信号を受信できる端末を「グッドカバレッジ端末」と呼ぶことがある。後述するように、端末２０は、自端末がプアカバレッジ端末であるときに、自端末の端末ＩＤを「プアカバレッジ端末ＩＤ」としてＰＵＣＣＨを用いて基地局１０に送信する。また、後述するように、端末２０は、自端末からの上りデータがある場合に、「スケジューリング要求」をＰＵＣＣＨを用いて基地局１０に送信する。
【００２２】
ＣＰ除去部１０４は、ＣＰが付加されているベースバンドのＯＦＤＭ信号からＣＰを除去し、ＣＰ除去後のＯＦＤＭ信号をＦＦＴ部１０５に出力する。
【００２３】
ＦＦＴ部１０５は、ＣＰ除去後のＯＦＤＭ信号に対してＦＦＴ処理を施してＯＦＤＭ信号を周波数領域信号に変換し、周波数領域信号をＰＵＣＣＨ信号取得部１０６に出力する。
【００２４】
ＰＵＣＣＨ信号取得部１０６は、周波数領域信号に対して復調処理及び復号処理を施し、周波数領域信号からＰＵＣＣＨ信号を取得する。ＰＵＣＣＨ信号取得部１０６は、取得したＰＵＣＣＨ信号に含まれるプアカバレッジ端末ＩＤ及びスケジューリング要求をスケジューリング部１０７に出力する。よって、スケジューリング部１０７は、入力されるプアカバレッジ端末ＩＤによって、基地局１０が収容する全端末のうち、いずれの端末がプアカバレッジ端末であるかを認識することができる。また、スケジューリング部１０７は、入力されるスケジューリング要求の数を集計することにより、基地局１０の収容端末数を認識することができる。スケジューリング部１０７は、認識した収容端末数を、リージョンサイズ制御部１０８及びデュレーション制御部１０９に出力する。
【００２５】
リージョンサイズ制御部１０８は、収容端末数に応じて、ＣＣＨリージョンサイズを制御する。すなわち、リージョンサイズ制御部１０８は、収容端末数が第１閾値未満のときはｎ＝１、第１閾値以上かつ第２閾値未満のときはｎ＝２、第２閾値以上のときはｎ＝３に決定する。そして、リージョンサイズ制御部１０８は、値がｎのＣＦＩをスケジューリング部１０７及びＰＣＦＩＣＨ信号生成部１１３に出力する。また、リージョンサイズ制御部１０８は、上記のように、ｎの値、すなわち、ＣＦＩ値を１サブフレーム毎に、すなわち、１ｍｓ周期で更新する。
【００２６】
デュレーション制御部１０９は、収容端末数に応じて、ＰＨＩＣＨデュレーションを制御する。ＰＨＩＣＨデュレーション値は、上記のように、ｍ＝１または３である。デュレーション制御部１０９は、収容端末数が第２閾値未満のときはｍ＝１、第２閾値以上のときはｍ＝３にＰＨＩＣＨデュレーション値を決定する。そして、デュレーション制御部１０９は、決定したＰＨＩＣＨデュレーション値をスケジューリング部１０７及びＰＢＣＨ信号生成部１１４に出力する。デュレーション制御部１０９は、上記のように、ＰＨＩＣＨデュレーション値を４０サブフレーム毎に、すなわち、４０ｍｓ周期で更新する。
【００２７】
スケジューリング部１０７は、入力されるユーザデータに対し、どの端末のユーザデータをどのＲＥに割り当てるかを決めるスケジューリングを行い、ユーザデータをＰＤＳＣＨ信号生成部１１１に出力し、スケジューリング結果をＰＤＣＣＨ信号生成部１１２及びマッピング部１１５に出力する。
【００２８】
このとき、スケジューリング部１０７は、ＰＵＣＣＨ信号取得部１０６から入力されるプアカバレッジ端末ＩＤ、リージョンサイズ制御部１０８から入力されるＣＦＩ、及び、デュレーション制御部１０９から入力されるＰＨＩＣＨデュレーション値に従って、ユーザデータをスケジューリングする。すなわち、スケジューリング部１０７は、プアカバレッジ端末ＩＤで示されるプアカバレッジ端末宛てのユーザデータに対するスケジューリングを、ＰＨＩＣＨデュレーション値とＣＦＩ値とが一致するサブフレームのみで行う。一方で、スケジューリング部１０７は、プアカバレッジ端末ＩＤで示されていない端末、つまり、プアカバレッジ端末以外の端末宛てのユーザデータに対するスケジューリングを、１サブフレーム毎に行う。また、スケジューリング部１０７は、リージョンサイズ制御部１０８から入力されるＣＦＩに基づいて、ＣＣＨリージョンに時間方向で後続するＯＦＤＭシンボルを始点としてユーザデータのスケジューリングを行う。例えば、図１において、ＣＦＩ＝１のときは、ｎ＝１であるため、スケジューリング部１０７は、ＯＦＤＭシンボル＃１を始点としてユーザデータのスケジューリングを行う。
【００２９】
ＣＲＳ生成部１１０は、ＣＲＳを生成し、ＣＲＳをマッピング部１１５に出力する。
【００３０】
ＰＤＳＣＨ信号生成部１１１は、スケジューリング部１０７から入力されるユーザデータに対し符号化処理及び変調処理を施してＰＤＳＣＨ信号を生成し、ＰＤＳＣＨ信号をマッピング部１１５に出力する。
【００３１】
ＰＤＣＣＨ信号生成部１１２は、スケジューリング部１０７から入力されるスケジューリング結果に対し符号化処理及び変調処理を施してＰＤＣＣＨ信号を生成し、ＰＤＣＣＨ信号をマッピング部１１５に出力する。
【００３２】
ＰＣＦＩＣＨ信号生成部１１３は、リージョンサイズ制御部１０８から入力されるＣＦＩに対し符号化処理及び変調処理を施してＰＣＦＩＣＨ信号を生成し、ＰＣＦＩＣＨ信号をマッピング部１１５に出力する。
【００３３】
ＰＢＣＨ信号生成部１１４は、デュレーション制御部１０９から入力されるＰＨＩＣＨデュレーション値に対し符号化処理及び変調処理を施してＰＢＣＨ信号を生成し、ＰＢＣＨ信号をマッピング部１１５に出力する。
【００３４】
マッピング部１１５は、上記のマッピング例及びスケジューリング結果に従って、各物理チャネルの信号をＲＥにマッピングしてＩＦＦＴ部１１６に出力する。
【００３５】
ＩＦＦＴ部１１６は、マッピング部１１５から入力される信号に対してＩＦＦＴ処理を施してＯＦＤＭ信号を生成し、ＯＦＤＭ信号をＣＰ付加部１１７に出力する。
【００３６】
ＣＰ付加部１１７は、ＯＦＤＭ信号に対しＣＰを付加し、ＣＰ付加後のＯＦＤＭ信号をＲＦ送信部１１８に出力する。
【００３７】
ＲＦ送信部１１８は、ベースバンドのＯＦＤＭ信号に対して送信無線処理、すなわち、ディジタルアナログ変換、アップコンバート等を行って無線信号を得て、無線信号をデュプレクサ１０２、アンテナ１０１を介して端末２０に送信する。
【００３８】
＜端末の構成例＞
図３は、実施例１の端末の主要構成を示す機能ブロック図である。図３に示す端末２０は、例えば、ＭＴＣ端末である。図３において、端末２０は、ＰＵＣＣＨ信号生成部２０１と、ＩＦＦＴ部２０２と、ＣＰ付加部２０３と、ＲＦ送信部２０４と、デュプレクサ２０５と、アンテナ２０６とを有する。また、端末２０は、ＲＦ受信部２０７と、ＣＰ除去部２０８と、ＦＦＴ部２０９と、ＣＲＳ取得部２１０と、カバレッジ判定部２１１と、リージョンサイズ判定部２１４とを有する。また、端末２０は、ＰＢＣＨ信号取得部２１２と、ＰＣＦＩＣＨ信号取得部２１３と、ＰＤＣＣＨ信号取得部２１５と、ＰＤＳＣＨ信号取得部２１６とを有する。
【００３９】
ＰＵＣＣＨ信号生成部２０１には、スケジューリング要求と、プアカバレッジ端末ＩＤとが入力される。ＰＵＣＣＨ信号生成部２０１は、スケジューリング要求及びプアカバレッジ端末ＩＤに対し符号化処理及び変調処理を施してＰＵＣＣＨ信号を生成し、ＰＵＣＣＨ信号をＩＦＦＴ部２０２に出力する。
【００４０】
ＩＦＦＴ部２０２は、ＰＵＣＣＨ信号に対してＩＦＦＴ処理を施してＯＦＤＭ信号を生成し、ＯＦＤＭ信号をＣＰ付加部２０３に出力する。
【００４１】
ＣＰ付加部２０３は、ＯＦＤＭ信号に対しＣＰを付加し、ＣＰ付加後のＯＦＤＭ信号をＲＦ送信部２０４に出力する。
【００４２】
ＲＦ送信部２０４は、ベースバンドのＯＦＤＭ信号に対して送信無線処理、すなわち、ディジタルアナログ変換、アップコンバート等を行って無線信号を得て、無線信号をデュプレクサ２０５、アンテナ２０６を介して基地局１０に送信する。
【００４３】
ＲＦ受信部２０７は、基地局１０から送信されたＯＦＤＭ信号を、アンテナ２０６、デュプレクサ２０５を介して受信し、ＯＦＤＭ信号に対して受信無線処理、すなわち、ダウンコンバート、アナログディジタル変換等を行ってベースバンドのＯＦＤＭ信号を得てＣＰ除去部２０８に出力する。
【００４４】
ＣＰ除去部２０８は、ＣＰが付加されているベースバンドのＯＦＤＭ信号からＣＰを除去し、ＣＰ除去後のＯＦＤＭ信号をＦＦＴ部２０９に出力する。
【００４５】
ＦＦＴ部２０９は、ＣＰ除去後のＯＦＤＭ信号に対してＦＦＴ処理を施してＯＦＤＭ信号を周波数領域信号に変換し、周波数領域信号を、ＣＲＳ取得部２１０、ＰＢＣＨ信号取得部２１２、ＰＣＦＩＣＨ信号取得部２１３、ＰＤＣＣＨ信号取得部２１５、及び、ＰＤＳＣＨ信号取得部２１６に出力する。
【００４６】
ＣＲＳ取得部２１０は、上記のマッピング例に基づいて、周波数領域信号からＣＲＳを取得してカバレッジ判定部２１１に出力する。
【００４７】
カバレッジ判定部２１１は、ＣＲＳの受信電力を測定し、測定結果を閾値と比較する。カバレッジ判定部２１１は、ＣＲＳ受信電力が閾値未満であるとき、受信カバレッジが小さくてＰＣＦＩＣＨ信号を受信できないと判定する。つまり、カバレッジ判定部２１１は、ＣＲＳ受信電力が閾値未満であるときに、端末２０がプアカバレッジ端末であると判定し、端末２０の端末ＩＤをプアカバレッジ端末ＩＤとしてＰＵＣＣＨ信号生成部２０１に出力する。一方で、カバレッジ判定部２１１は、ＣＲＳ受信電力が閾値以上であるとき、受信カバレッジが大きく、ＰＣＦＩＣＨ信号を受信できると判定する。よって、ＣＲＳ受信電力が閾値以上であるときは、カバレッジ判定部２１１は、端末２０がグッドカバレッジ端末であると判定し、プアカバレッジ端末ＩＤをＰＵＣＣＨ信号生成部２０１に出力しない。また、カバレッジ判定部２１１は、端末２０がプアカバレッジ端末であるか、グッドカバレッジ端末であるかを示す通知信号（以下では「カバレッジ通知信号」と呼ぶことがある）をリージョンサイズ判定部２１４に出力する。
【００４８】
ＰＢＣＨ信号取得部２１２は、上記のマッピング例に基づいて周波数領域信号から抽出したＰＢＣＨ信号に対し復調処理及び復号処理を施してＰＢＣＨ信号を取得し、ＰＢＣＨ信号に含まれるＰＨＩＣＨデュレーション値をリージョンサイズ判定部２１４に出力する。
【００４９】
ＰＣＦＩＣＨ信号取得部２１３は、上記のマッピング例に基づいて周波数領域信号から抽出したＰＣＦＩＣＨ信号に対し復調処理及び復号処理を施してＰＣＦＩＣＨ信号を取得し、ＰＣＦＩＣＨ信号に含まれるＣＦＩをリージョンサイズ判定部２１４に出力する。
【００５０】
リージョンサイズ判定部２１４は、ＣＣＨリージョンサイズの判定に用いるパラメータを、カバレッジ通知信号に従って、ＰＨＩＣＨデュレーション値とＣＦＩ値との間で切り替える。すなわち、リージョンサイズ判定部２１４は、端末２０がプアカバレッジ端末であるときは、ＣＦＩ値を用いずに、ＰＨＩＣＨデュレーション値に従ってＣＣＨリージョンサイズを判定する。つまり、リージョンサイズ判定部２１４は、端末２０がプアカバレッジ端末であるときは、ＰＨＩＣＨデュレーション値がＣＣＨリージョンサイズを示すと認識する。一方で、リージョンサイズ判定部２１４は、端末２０がグッドカバレッジ端末であるときは、ＣＦＩに従ってＣＣＨリージョンサイズを判定する。つまり、リージョンサイズ判定部２１４は、端末２０がグッドカバレッジ端末であるときは、ＣＦＩ値がＣＣＨリージョンサイズを示すと認識する。リージョンサイズ判定部２１４は、このようにして認識したＣＣＨリージョンサイズをＰＤＣＣＨ信号取得部２１５及びＰＤＳＣＨ信号取得部２１６に出力する。
【００５１】
ＰＤＣＣＨ信号取得部２１５は、リージョンサイズ判定部２１４で認識されたＣＣＨリージョンサイズに基づいて、周波数領域信号からＰＤＣＣＨ信号を抽出する。ＰＤＣＣＨ信号取得部２１５は、抽出したＰＤＣＣＨ信号に対し復調処理及び復号処理を施してＰＤＣＣＨ信号を取得し、ＰＤＣＣＨ信号に含まれるスケジューリング情報をＰＤＳＣＨ信号取得部２１６に出力する。
【００５２】
ＰＤＳＣＨ信号取得部２１６は、リージョンサイズ判定部２１４で認識されたＣＣＨリージョンサイズ、及び、ＰＤＣＣＨ信号取得部２１５から入力されるスケジューリング情報に基づいて、周波数領域信号から端末２０宛てのＰＤＳＣＨ信号を抽出する。ＰＤＳＣＨ信号取得部２１６は、抽出したＰＤＳＣＨ信号に対し復調処理及び復号処理を施して、端末２０宛てのユーザデータを取得する。
【００５３】
＜通信システムの処理シーケンス＞
図４は、実施例１の通信システムの処理シーケンスの一例を示す図である。図４における端末Ａ及び端末Ｂは図３の端末２０に相当する。
【００５４】
基地局１０は、サブフレーム＃０以前のフレームにおいて、ＣＲＳを端末Ａ及び端末Ｂに送信する（ステップＳ３０１）。
【００５５】
端末Ａ及び端末Ｂは、ＣＲＳの受信電力を測定し（ステップＳ３０２−１，３０２−２）、自端末がプアカバレッジ端末、または、グッドカバレッジ端末のいずれであるかを判定する（プアカバレッジ判定：ステップＳ３０３−１，３０３−２）。ここで、端末ＡでのＣＲＳ受信電力が閾値未満であり、端末Ａは自端末がプアカバレッジ端末であると判定したとする。そこで、端末Ａは、自端末の端末ＩＤをプアカバレッジ端末ＩＤとしてＰＵＣＣＨを用いて基地局１０に通知する（ステップＳ３０４）。一方で、端末ＢでのＣＲＳ受信電力が閾値以上であり、端末Ｂは自端末がグッドカバレッジ端末であると判定したとする。よって、端末Ｂは、プアカバレッジ端末ＩＤを基地局１０に通知しない。
【００５６】
ここで、端末Ａ及び端末Ｂは、ステップＳ３０３−１，３０３−２のプアカバレッジ判定を、ＰＨＩＣＨデュレーションの更新周期に合わせて、４０ｍｓ周期で行うのが好ましい。このようにすれば、基地局１０は、各端末のプアカバレッジ判定の変化に呼応して、ＰＨＩＣＨデュレーションの設定ができ、各端末は、そのＰＨＩＣＨデュレーションを参照してＣＦＩを把握するモードに切り替わることができる。
【００５７】
または、「端末がＰＵＣＣＨでプアカバレッジ端末ＩＤを送信したサブフレームの一定時間後のサブフレームで、ＰＨＩＣＨデュレーションを参照してＣＦＩを把握するモードに切り替える」という規定を設けてもよい。このようにすることで、基地局１０は、各端末が正しくＰＨＩＣＨデュレーションを参照してＣＦＩを把握するモードに切り替わってから、各端末に対しＰＤＣＣＨ信号及びＰＤＳＣＨ信号を送信することができる。
【００５８】
なお、上記の方法とは別の方法として、各端末がプアカバレッジ端末、または、グッドカバレッジ端末のいずれであるかを、基地局１０が判定する方法がある。例えば、後述するように、無線品質に応じてＭＣＳ（Modulation  and  Coding  Scheme）を制御する適応変調、及び、再送制御であるHybrid  ARQの機能により、プアカバレッジにある端末Ａにおいても問題なくＰＤＳＣＨ信号を受信することができる。これらの機能は、通常、初回送信時のブロック誤り率が一定（例えば１０％）になるように設定され、高々、１〜２回の再送により、受信が成功するように設定されている。しかし、端末がＰＣＦＩＣＨ信号を復号できない場合は、誤ったＣＣＨリージョンサイズを認識するため、ＰＤＣＣＨ信号を受信することができない。また、ＰＤＳＣＨ信号が繰り返し再送され、再送回数が設定された最大値に達した場合は、端末は、ＰＤＳＣＨ信号を受信することができない。従って、基地局１０は、ＰＤＳＣＨ信号の既定の回数の再送に対して、端末からＡＣＫ信号を受信しなかった場合、その端末がプアカバレッジ端末であると判定することができる。また、基地局１０が、端末をプアカバレッジ端末と判定した場合、ブロードキャストチャネルまたはＰＢＣＨ信号にそのプアカバレッジ端末ＩＤを含めて送信する。ブロードキャストチャネルまたはＰＢＣＨ信号に自端末の端末ＩＤがプアカバレッジ端末ＩＤとして含まれていれば、端末は、ＰＨＩＣＨデュレーションを参照してＣＦＩを把握するモードに切り替える。
【００５９】
図４での説明に戻り、基地局１０は、収容端末数に応じて、ＰＨＩＣＨのデュレーションを決定する（ステップＳ３０５）。ここでは、収容端末数が第２閾値以上であるとする。よって、基地局１０は、ＰＨＩＣＨデュレーション値を「３」に決定する。基地局１０は、「ＰＨＩＣＨデュレーション値＝３」をＰＢＣＨ信号を用いて端末Ａ及び端末Ｂに通知する（ステップＳ３０６）。ここで、ＰＢＣＨ信号は上記のように４０ｍｓ間に１０ｍｓ周期で４回繰り返し送信されるため、端末Ａ及び端末Ｂは４回分のＰＢＣＨ信号を合成することで、ＰＢＣＨ信号の受信カバレッジを増大させる。よって、端末Ａ及び端末Ｂは、ＰＨＩＣＨデュレーション値を確実に取得することができる。
【００６０】
または、ＰＨＩＣＨデュレーションの送信に用いられるＰＢＣＨ信号を４０ｍｓ間に１０ｍｓ周期で４回繰り返し送信するという従来の仕様に従わなくてもよい。すなわち、さらに繰り返し送信数を増やしたり、パワーブーストを施したり、より強力な符号化を施したり、または、それらを組み合わせた拡張したＰＢＣＨ信号を用いることもできる。このようにすれば、より確実にＰＨＩＣＨデュレーション値をプアカバレッジ端末に届けることができる。
【００６１】
端末Ａはプアカバレッジ端末であるため、端末Ａは、ＣＦＩからＣＣＨリージョンサイズを認識するのではなく、サブフレーム＃０以前のフレームにおいて送信されたＰＢＣＨ信号に含まれるＰＨＩＣＨデュレーション値からＣＣＨリージョンサイズを認識する。つまり、端末Ａは、サブフレーム＃０においてはＣＣＨリージョンサイズを「３」と認識している（ステップＳ３０７）。
【００６２】
基地局１０は、サブフレーム＃０において、収容端末数に応じて、ＣＦＩを決定する（ステップＳ３０８）。収容端末数が第２閾値以上であるので、基地局１０は、ＣＦＩ値を「３」に決定する。基地局１０は、「ＣＦＩ＝３」をＰＣＦＩＣＨを用いて送信する（ステップＳ３０９）。ここで、端末Ａはプアカバレッジ端末であるのに対し、端末Ｂはグッドカバレッジ端末である。よって、端末ＡはＰＣＦＩＣＨ信号を受信できない一方で、端末ＢはＰＣＦＩＣＨ信号を受信する。また、端末Ｂはグッドカバレッジ端末であるため、端末Ｂは、ＣＦＩからＣＣＨリージョンサイズを認識する。つまり、端末Ｂは、サブフレーム＃０のＣＣＨリージョンサイズを「３」と認識する（ステップＳ３１０）。
【００６３】
基地局１０は、ステップＳ３０５で決定したＰＨＩＣＨデュレーションと、ステップＳ３０８で決定したＣＦＩとが「３」で一致するため、両者が一致するサブフレーム＃０において、端末Ａ宛てのユーザデータのスケジューリングを行う。また、基地局１０は、ＰＨＩＣＨデュレーションとＣＦＩとが一致するか否かにかかわらず、サブフレーム＃０において、端末Ｂ宛てのユーザデータのスケジューリングを行う（ステップＳ３１１）。
【００６４】
基地局１０は、サブフレーム＃０でのＰＤＣＣＨ信号及びＰＤＳＣＨ信号を、端末Ａ及び端末Ｂに送信する（ステップＳ３１２）。
【００６５】
サブフレーム＃０では、ＰＨＩＣＨデュレーションと、ＣＦＩとが共に「３」で一致する。よって、サブフレーム＃０では、端末ＡがＰＨＩＣＨデュレーション値から認識したＣＣＨリージョンサイズと、基地局１０が決定したＣＦＩとが一致するため、端末＃Ａは、ＰＤＣＣＨ信号及びＰＤＳＣＨ信号から自端末宛てのユーザデータを取得できる（ステップＳ３１３）。また、サブフレーム＃０では、端末ＢがＣＦＩから認識したＣＣＨリージョンサイズと、基地局１０が決定したＣＦＩとが一致するため、端末＃Ｂも、ＰＤＣＣＨ信号及びＰＤＳＣＨ信号から自端末宛てのユーザデータを取得できる（ステップＳ３１４）。
【００６６】
サブフレーム＃１では、サブフレーム＃０から収容端末数が減少して、収容端末数が第１閾値以上かつ第２閾値未満になったものとする。また、ＰＨＩＣＨデュレーションの更新は４０ｍｓ周期で行われるため、サブフレーム＃１では、ＰＨＩＣＨデュレーション値は「３」のままである。
【００６７】
サブフレーム＃１において、基地局１０は、収容端末数に応じて、ＣＦＩを決定する（ステップＳ３１５）。収容端末数が第１閾値以上かつ第２閾値未満であるので、基地局１０は、ＣＦＩ値を「２」に決定する。基地局１０は、「ＣＦＩ＝２」をＰＣＦＩＣＨを用いて送信する（ステップＳ３１６）。端末Ａはプアカバレッジ端末であるのに対し、端末Ｂはグッドカバレッジ端末である。よって、端末ＡはＰＣＦＩＣＨ信号を受信できない一方で、端末ＢはＰＣＦＩＣＨ信号を受信する。また、端末Ｂはグッドカバレッジ端末であるため、端末Ｂは、ＣＦＩからＣＣＨリージョンサイズを認識する。つまり、端末Ｂは、サブフレーム＃１のＣＣＨリージョンサイズを「２」と認識する（ステップＳ３１７）。一方で、端末Ａは、サブフレーム＃１のＣＣＨリージョンサイズを、サブフレーム＃０のＣＣＨリージョンサイズと同一の「３」と認識したままである。
【００６８】
基地局１０は、ステップＳ３０５で決定したＰＨＩＣＨデュレーションと、ステップＳ３１５で決定したＣＦＩとが一致しないため、両者が一致しないサブフレーム＃１においては、端末Ａ宛てのユーザデータのスケジューリングを行わない。つまり、サブフレーム＃１には、端末Ａ宛てのユーザデータは含まれていない。また、基地局１０は、ＰＨＩＣＨデュレーションとＣＦＩとが一致するか否かにかかわらず、サブフレーム＃１において、端末Ｂ宛てのユーザデータのスケジューリングを行う。つまり、ＰＨＩＣＨデュレーションとＣＦＩとが一致しないサブフレームでは、端末Ａと端末Ｂのうち、端末Ｂに対するスケジューリングのみが行われる（ステップＳ３１８）。
【００６９】
基地局１０は、サブフレーム＃１でのＰＤＣＣＨ信号及びＰＤＳＣＨ信号を、端末Ａ及び端末Ｂに送信する（ステップＳ３１９）。
【００７０】
サブフレーム＃１では、ＰＨＩＣＨデュレーションが「３」のままでサブフレーム＃０と同一である一方、ＣＦＩが「２」に変化した結果、両者が一致しなくなる。よって、サブフレーム＃１では、端末ＡがＰＨＩＣＨデュレーション値から認識したＣＣＨリージョンサイズと、基地局１０が決定したＣＦＩとが一致しないため、端末＃Ａは、ＰＤＣＣＨ信号及びＰＤＳＣＨ信号の復調及び復号に失敗する（ステップＳ３２０）。しかし、ステップＳ３１９で基地局１０から送信されたＰＤＣＣＨ信号及びＰＤＳＣＨ信号には、そもそも端末Ａ宛てのユーザデータは含まれていないため、ステップＳ３２０で端末ＡがＰＤＳＣＨ信号の復調及び復号に失敗しても問題ない。一方で、サブフレーム＃１では、端末ＢがＣＦＩから認識したＣＣＨリージョンサイズと、基地局１０が決定したＣＦＩとが一致するため、端末＃Ｂは、ＰＤＣＣＨ信号及びＰＤＳＣＨ信号から自端末宛てのユーザデータを取得できる（ステップＳ３２１）。
【００７１】
なお、ＰＤＣＣＨ信号及びＰＤＳＣＨ信号に対しては、無線品質に応じてＭＣＳを制御する適応変調、及び、再送制御であるHybrid  ARQを適切に行えば、プアカバレッジである端末Ａにおいても問題なくそれらの信号を受信できるようにすることができる。
【００７２】
＜通信システムの処理動作＞
図５は、実施例１の通信システムの処理動作の説明に供する図である。ここでは、プアカバレッジ端末である端末Ａに着目して説明する。
【００７３】
サブフレーム＃０において、基地局１０が、ＰＨＩＣＨデュレーション値を「３」に、ＣＦＩ値を「３」に決定したとする。ＣＦＩ値はＣＣＨリージョンサイズを示すため、このときのＣＣＨリージョンサイズは「３」である。ＰＨＩＣＨデュレーション値は４０ｍｓ毎に更新されるため、「ＰＨＩＣＨデュレーション値＝３」の状態は、サブフレーム＃０〜＃３９の間において変化しない。よって、サブフレーム＃０では、ＰＨＩＣＨデュレーション値とＣＦＩ値とが一致するため、基地局１０は、端末Ａに対するスケジューリングを行う（Ｙｅｓ）。また、サブフレーム＃０では、端末ＡがＰＨＩＣＨデュレーション値から認識するＣＣＨリージョンサイズと、基地局１０が決定したＣＦＩ値とが一致するため、端末Ａは、ＰＤＣＣＨ信号及びＰＤＳＣＨ信号の復調及び復号に成功する。
【００７４】
次いで、サブフレーム＃１において、基地局１０が、ＣＦＩ値を「２」に決定したとする。このときのＣＣＨリージョンサイズは「２」である。よって、サブフレーム＃１では、ＰＨＩＣＨデュレーション値とＣＦＩ値とが一致しないため、基地局１０は、端末Ａに対するスケジューリングを行わない（Ｎｏ）。また、サブフレーム＃１では、端末ＡがＰＨＩＣＨデュレーション値から認識するＣＣＨリージョンサイズと、基地局１０が決定したＣＦＩ値とが一致しないため、端末Ａは、ＰＤＣＣＨ信号及びＰＤＳＣＨ信号の復調及び復号に失敗する。
【００７５】
次いで、サブフレーム＃２において、基地局１０が、ＣＦＩ値を「３」に決定したとする。このときのＣＣＨリージョンサイズは「３」である。よって、サブフレーム＃２では、ＰＨＩＣＨデュレーション値とＣＦＩ値とが一致するため、基地局１０は、端末Ａに対するスケジューリングを行う（Ｙｅｓ）。また、サブフレーム＃２では、端末ＡがＰＨＩＣＨデュレーション値から認識するＣＣＨリージョンサイズと、基地局１０が決定したＣＦＩ値とが一致するため、端末Ａは、ＰＤＣＣＨ信号及びＰＤＳＣＨ信号の復調及び復号に成功する。
【００７６】
サブフレーム＃３の処理動作は、サブフレーム＃２のものと同様である。
【００７７】
そして、サブフレーム＃４０において、基地局１０が、ＰＨＩＣＨデュレーション値を「１」に、ＣＦＩ値を「２」に決定したとする。このときのＣＣＨリージョンサイズは「２」である。ＰＨＩＣＨデュレーション値は４０ｍｓ毎に更新されるため、「ＰＨＩＣＨデュレーション値＝１」の状態は、サブフレーム＃４０〜＃７９の間において変化しない。よって、サブフレーム＃４０では、ＰＨＩＣＨデュレーション値とＣＦＩ値とが一致しないため、基地局１０は、端末Ａに対するスケジューリングを行わない（Ｎｏ）。また、サブフレーム＃４０では、端末ＡがＰＨＩＣＨデュレーション値から認識するＣＣＨリージョンサイズと、基地局１０が決定したＣＦＩ値とが一致しないため、端末Ａは、ＰＤＣＣＨ信号及びＰＤＳＣＨ信号の復調及び復号に失敗する。
【００７８】
次いで、サブフレーム＃４１において、基地局１０が、ＣＦＩ値を「１」に決定したとする。このときのＣＣＨリージョンサイズは「１」である。よって、サブフレーム＃４１では、ＰＨＩＣＨデュレーション値とＣＦＩ値とが一致するため、基地局１０は、端末Ａに対するスケジューリングを行う（Ｙｅｓ）。また、サブフレーム＃４１では、端末ＡがＰＨＩＣＨデュレーション値から認識するＣＣＨリージョンサイズと、基地局１０が決定したＣＦＩ値とが一致するため、端末Ａは、ＰＤＣＣＨ信号及びＰＤＳＣＨ信号の復調及び復号に成功する。
【００７９】
サブフレーム＃４２の処理動作はサブフレーム＃４０のものと同様であり、サブフレーム＃４３の処理動作はサブフレーム＃４１のものと同様である。
【００８０】
以上のように本実施例によれば、端末２０において、リージョンサイズ判定部２１４は、自端末がプアカバレッジ端末である場合、基地局１０ら送信されるＰＨＩＣＨデュレーション値に従って、ＣＣＨリージョンサイズを判定する。ＰＤＣＣＨ信号取得部２１５及びＰＤＳＣＨ信号取得部２１６は、リージョンサイズ判定部２１４で判定されたＣＣＨリージョンサイズに基づいて、自端末宛てのデータを取得する。
【００８１】
また、基地局１０において、リージョンサイズ制御部１０８は、ＣＦＩ値を１ｍｓ周期で更新し、デュレーション制御部１０９は、ＰＨＩＣＨデュレーション値を４０ｍｓで更新する。スケジューリング部１０７は、グッドカバレッジ端末宛てのデータのスケジューリングを１サブフレーム毎に行う一方で、プアカバレッジ端末宛てのデータのスケジューリングを、ＰＨＩＣＨデュレーション値とＣＦＩ値とが一致するサブフレームのみで行う。
【００８２】
このように、プアカバレッジ端末は、ＣＦＩ値をＰＨＩＣＨデュレーション値で代用してＣＣＨリージョンサイズを認識する。よって、基地局は、収容端末数に応じて変化するＣＣＨリージョンサイズのプアカバレッジ端末への通知にあたり、プアカバレッジ端末に対するＣＦＩの送信を省くことができる。また、プアカバレッジ端末は、ＣＣＨが収容端末数に応じてダイナミックに変化する場合でも、ＣＦＩを含むＰＣＦＩＣＨ信号を受信することなしにＣＣＨリージョンサイズを認識することができる。また、ＰＨＩＣＨデュレーション値とＣＦＩ値とが一致するサブフレームのみでしか、プアカバレッジ端末に対するスケジューリングは行われない。よって、ＣＦＩを受信できないプアカバレッジ端末が存在しても、収容端末数に応じてＣＣＨリージョンサイズをダイナミックに変化させることが可能になる。よって、本実施例によれば、プアカバレッジ端末のためにＣＣＨリージョンサイズを固定にする必要がなくなるため、ＣＣＨのリソース使用効率を改善することができる。
【００８３】
［他の実施例］
［１］上記の基地局１０は、次のようなハードウェア構成により実現することができる。図６は、基地局のハードウェア構成例を示す図である。図６に示すように、基地局１０は、ハードウェアの構成要素として、アンテナ６ａと、無線通信デバイス６ｂと、プロセッサ６ｃと、メモリ６ｄと、ネットワークインタフェース回路６ｅとを有する。プロセッサ６ｃの一例として、ＣＰＵ（Central  Processing  Unit），ＤＳＰ（Digital  Signal  Processor），ＦＰＧＡ（Field  Programmable  Gate  Array）等が挙げられる。また、基地局１０は、プロセッサ６ｃと周辺回路とを含むＬＳＩ（Large  Scale  Integrated  circuit）を有してもよい。メモリ６ｄの一例として、ＳＤＲＡＭ等のＲＡＭ，ＲＯＭ，フラッシュメモリ等が挙げられる。アンテナ１０１は、アンテナ６ａにより実現される。デュプレクサ１０２と、ＲＦ受信部１０３と、ＲＦ送信部１１８とは、無線通信デバイス６ｂにより実現される。ＣＰ除去部１０４と、ＦＦＴ部１０５と、ＰＵＣＣＨ信号取得部１０６と、スケジューリング部１０７と、リージョンサイズ制御部１０８と、デュレーション制御部１０９と、ＣＲＳ生成部１１０と、ＰＤＳＣＨ信号生成部１１１と、ＰＤＣＣＨ信号生成部１１２と、ＰＣＦＩＣＨ信号生成部１１３と、ＰＢＣＨ信号生成部１１４と、マッピング部１１５と、ＩＦＦＴ部１１６と、ＣＰ付加部１１７とは、プロセッサ６ｃにより実現される。
【００８４】
［２］上記の端末２０は、次のようなハードウェア構成により実現することができる。図７は、端末のハードウェア構成例を示す図である。図７に示すように、端末２０は、ハードウェアの構成要素として、アンテナ７ａと、無線通信デバイス７ｂと、プロセッサ７ｃと、メモリ７ｄとを有する。プロセッサ７ｃの一例として、ＣＰＵ，ＤＳＰ，ＦＰＧＡ等が挙げられる。また、端末２０は、プロセッサ７ｃと周辺回路とを含むＬＳＩを有してもよい。メモリ７ｄの一例として、ＳＤＲＡＭ等のＲＡＭ，ＲＯＭ，フラッシュメモリ等が挙げられる。アンテナ２０６は、アンテナ７ａにより実現される。デュプレクサ２０５と、ＲＦ受信部２０７と、ＲＦ送信部２０４とは、無線通信デバイス７ｂにより実現される。ＰＵＣＣＨ信号生成部２０１と、ＩＦＦＴ部２０２と、ＣＰ付加部２０３と、ＣＰ除去部２０８と、ＦＦＴ部２０９と、ＣＲＳ取得部２１０と、カバレッジ判定部２１１と、リージョンサイズ判定部２１４と、ＰＢＣＨ信号取得部２１２と、ＰＣＦＩＣＨ信号取得部２１３と、ＰＤＣＣＨ信号取得部２１５と、ＰＤＳＣＨ信号取得部２１６とは、プロセッサ７ｃにより実現される。
【００８５】
［３］端末は、「ＵＥ（User  Equipment）」と呼ばれることがある。モバイル端末は、「移動局」または「ＭＳ（Mobile  Station）」と呼ばれることがある。基地局は、「ｅＮＢ（evolved  Node  B）」、「ＢＳ（Base  Station）」、または、「ＢＴＳ（Base  Transceiver  Station）」と呼ばれることがある。
【符号の説明】
【００８６】
１０  基地局
２０  端末
１０６  ＰＵＣＣＨ信号取得部
１０７  スケジューリング部
１０８  リージョンサイズ制御部
１０９  デュレーション制御部
１１０  ＣＲＳ生成部
１１１  ＰＤＳＣＨ信号生成部
１１２  ＰＤＣＣＨ信号生成部
１１３  ＰＣＦＩＣＨ信号生成部
１１４  ＰＢＣＨ信号生成部
１１５  マッピング部
２０１  ＰＵＣＣＨ信号生成部
２１０  ＣＲＳ取得部
２１１  カバレッジ判定部
２１２  ＰＢＣＨ信号取得部
２１３  ＰＣＦＩＣＨ信号取得部
２１４  リージョンサイズ判定部
２１５  ＰＤＣＣＨ信号取得部
２１６  ＰＤＳＣＨ信号取得部
【図１】
2014162565.tif 000003
【図２】
2014162565.tif 000004
【図３】
2014162565.tif 000005
【図４】
2014162565.tif 000006
【図５】
2014162565.tif 000007
【図６】
2014162565.tif 000008
【図７】
2014162565.tif 000009
【国際調査報告】
2014162565.tif 000010
2014162565.tif 000011
2014162565.tif 000012